(57)【要約】【課題】高周波漏れ電流の低減を目的とした空気調和機用インバータ装置を提供する。【解決手段】交流電源３を直流電圧に変換するコンバータ４と、直流電圧を平滑する平滑コンデンサ５と、圧縮機電圧をキャリア周波数でチョッピングして圧縮機１を駆動するモータに印加される電圧を制御する電圧型ＰＷＭ方式のインバータ８と、交流電源３とコンバータ４との間に設けられ浮遊容量２に流れる漏れ電流を検出する漏れ電流検出器６と、漏れ電流検出器６の出力と第１の閾値との差を比較する第１の比較器７と、第１の比較器７の出力とインバータ８からのＤｕｔｙ信号に応じて、前記直流電圧の可変及びキャリア周波数を制御する圧縮機制御器９とを備え、高周波漏れ電流が第１の漏れ電流閾値よりも大きければ圧縮機電圧を降圧させ、Ｄｕｔｙ信号が一定値以上になると、圧縮機電圧を固定し、キャリア周波数を低下させることで、高周波漏れ電流の低減が可能となる。【選択図】図１
2008099507.tif 000002
【特許請求の範囲】
【請求項１】
三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記インバータより出力されるＤｕｔｙ信号に応じて圧縮機電圧と前記インバータのキャリア周波数を制御する圧縮機制御器とを備え、前記漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させることを特徴とした空気調和機用インバータ装置。
【請求項２】
三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、前記漏れ電流検出器の出力とあらかじめ設定された第１の漏れ電流閾値よりも小さい第２の漏れ電流閾値との差を比較する第２の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記第２の比較器の出力及び前記インバータより出力されるＤｕｔｙ信号に応じて圧縮機電圧と前記インバータのキャリア周波数を制御する圧縮機制御器とを備え、前記漏れ電流が漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させ、逆に、前記漏れ電流が前記第２の漏れ電流閾値よりも小さければ、前記キャリア周波数を上昇させ、キャリア周波数が初期の値まで上昇しても、まだ前記漏れ電流が前記第２の漏れ電流よりも小さければ、前記圧縮機電圧を昇圧させることと特徴とした空気調和機用インバータ装置。
【請求項３】
前記漏れ電流検出器を、平滑コンデンサと圧縮機調整器の間に設けることを特徴とした請求項１または請求項２のいずれか１項に記載の空気調和機用インバータ装置。
【発明の詳細な説明】
【技術分野】
【０００１】
本発明は、圧縮機駆動用モータの巻線からアースに浮遊容量を介して流れる高周波漏れ電流の低減を目的とした空気調和機用インバータ装置に関するものである。
【背景技術】
【０００２】
従来、この種の空気調和機用インバータ装置は、漏れ電流の如何に関わらず、一定のキャリア周波数でインバータを駆動している（例えば、特許文献１参照）。そのため、インバータのチョッピングに伴い、圧縮機とアース間の浮遊容量を介して高周波の漏れ電流が流れる。この漏れ電流は、浮遊容量、キャリア周波数、電源電圧に比例する。
【０００３】
この高周波漏れ電流は、交流電源へと誘電的に伝わり、当該空気調和機用インバータ装置に悪影響を及ぼしたり、他の機器やブレーカなどの誤動作を引き起こす恐れがある。
【０００４】
図４は、特許文献１に記載された従来の空気調和機用インバータ装置を示すものである。図４に示すように、三相巻線を有するモータを密閉ケースに収容した圧縮機１と、供給電源１２と、コンバータ４と、平滑コンデンサ５と、インバータ６と、電流センサ１３と、制御装置１４から構成されている。
【特許文献１】特開平３−１７８５９５号公報
【発明の開示】
【発明が解決しようとする課題】
【０００５】
しかしながら、前記従来の構成では、漏れ電流を検知していないので、周囲環境（温度・湿度）に伴う浮遊容量の誘電率の変化や、経年変化による漏れ電流の増加には対処できず、当該空気調和機用インバータ装置に悪影響を及ぼしたり、他の機器やブレーカなどの誤動作を引き起こす、という課題を有していた。
【０００６】
本発明は、前記従来の課題を解決するもので、圧縮機駆動用モータの巻線からアースに浮遊容量を介して流れる高周波漏れ電流を低減する空気調和機用インバータ装置を提供することを目的としたものである。
【課題を解決するための手段】
【０００７】
前記従来の課題を解決するために、本発明の空気調和機用インバータ装置は、三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記インバータより出力されるＤｕｔｙ信号に応じて圧縮機電圧と前記インバータのキャリア周波数を制御する圧縮機制御器とを備え、前記漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させることを特徴としたものである。
【０００８】
これによって、周囲環境や経年変化などで高周波漏れ電流が増加した場合、まず圧縮機
電圧を降圧させるが、インバータのＤｕｔｙが一定値以上となっても高周波漏れ電流が設定値以上ならば、圧縮機を駆動するモータの回転数が保つことができなくなるため、圧縮機電圧の降圧を停止して、インバータのキャリア周波数を低下させることで高周波漏れ電流を低減することが可能となるため、上記課題を解決することができる。
【０００９】
また、本発明の空気調和機用インバータ装置は、三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、前記漏れ電流検出器の出力とあらかじめ設定された第１の漏れ電流閾値よりも小さい第２の漏れ電流閾値との差を比較する第２の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記第２の比較器の出力及び前記インバータより出力されるＤｕｔｙ信号に応じて圧縮機電圧と前記インバータのキャリア周波数を制御する圧縮機制御器とを備え、前記漏れ電流が漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させ、逆に、前記漏れ電流が前記第２の漏れ電流閾値よりも小さければ、前記キャリア周波数を上昇させ、キャリア周波数が初期の値まで上昇しても、まだ前記漏れ電流が前記第２の漏れ電流よりも小さければ、前記圧縮機電圧を昇圧させることと特徴としたものである。
【００１０】
これによって、周囲環境や経年変化などで高周波漏れ電流が増加した場合、まず圧縮機電圧を降圧させるが、インバータのＤｕｔｙが一定値以上となっても高周波漏れ電流が設定値以上ならば、圧縮機を駆動するモータの回転数が保つことができなくなるため、圧縮機電圧を保持して、インバータのキャリア周波数を低下させることで高周波漏れ電流を低減することが可能となるため、上記課題を解決することができる。逆に高周波漏れ電流が低下した場合、キャリア周波数を上昇させていき、キャリア周波数が初期の値に達しても、まだ高周波漏れ電流が設定値よりも低ければ、圧縮機電圧の昇圧を行うことが可能となるため、圧縮機を駆動するモータの回転数を上昇させることが可能となり、結果、高周波漏れ電流をある一定の幅に制御することが可能となる。
【発明の効果】
【００１１】
本発明の空気調和機用インバータ装置は、高周波漏れ電流があらかじめ設定された閾値に応じて、圧縮機電圧を降圧・昇圧、キャリア周波数を上昇・低価させ、結果、高周波漏れ電流をあらかじめ設定された閾値以下に低減することが可能となり、漏れ電流による感電への安全性の確保が可能となる。
【発明を実施するための最良の形態】
【００１２】
第１の発明は、三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記インバータより出力されるＤｕｔｙ信号
に応じて圧縮機電圧と前記インバータのキャリア周波数を制御する圧縮機制御器とを備え、前記漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させることを特徴とした空気調和機用インバータ装置とすることにより、周囲環境や経年変化などで高周波漏れ電流が増加した場合、まず圧縮機電圧を降圧させるが、インバータのＤｕｔｙが一定値以上となっても高周波漏れ電流が設定値以上ならば、圧縮機を駆動するモータの回転数が保つことができなくなるため、圧縮機電圧の降圧を停止して、インバータのキャリア周波数を低下させることで高周波漏れ電流を低減することが可能となり、漏れ電流による感電への安全性が確保できる。
【００１３】
第２の発明は、三相巻線を有するモータを密閉ケースに収容しアースとの間に浮遊容量が存在する圧縮機と、交流電源の電圧を直流電圧に変換するコンバータと、前記交流電源とコンバータとの間に設けられ、前記浮遊容量に流れる漏れ電流を検出する漏れ電流検出器と、この漏れ電流検出器の出力とあらかじめ設定された第１の漏れ電流閾値との差を比較する第１の比較器と、前記漏れ電流検出器の出力とあらかじめ設定された第１の漏れ電流閾値よりも小さい第２の漏れ電流閾値との差を比較する第２の比較器と、圧縮機に印加される電圧である圧縮機電圧を前記圧縮機の運転周波数よりも高いキャリア周波数でチョッピングして、前記圧縮機を駆動するモータに印加される電圧を制御する電圧型ＰＷＭ方式のインバータと、平滑コンデンサとインバータとの間に設けられ、前記第１の比較器の出力と前記第２の比較器の出力及び前記インバータより出力されるＤｕｔｙ信号に応じて圧縮機電圧と前記インバータのキャリア周波数を制御する圧縮機制御器とを備え、前記漏れ電流が漏れ電流が前記第１の漏れ電流閾値よりも大きければ、前記圧縮機電圧を降圧させるが、前記Ｄｕｔｙ信号が前記圧縮機制御器内部にあらかじめ設定された第１のＤｕｔｙ閾値よりも大きくなり、まだ前記漏れ電流が前記第１の漏れ電流閾値よりも大きければ、圧縮機電圧の降圧を保持し、前記キャリア周波数を低下させ、逆に、前記漏れ電流が前記第２の漏れ電流閾値よりも小さければ、前記キャリア周波数を上昇させ、キャリア周波数が初期の値まで上昇しても、まだ前記漏れ電流が前記第２の漏れ電流よりも小さければ、前記圧縮機電圧を昇圧させることと特徴とした空気調和機用インバータ装置とすることにより、周囲環境や経年変化などで高周波漏れ電流が増加した場合、まず圧縮機電圧を降圧させるが、インバータのＤｕｔｙが一定値以上となっても高周波漏れ電流が設定値以上ならば、圧縮機を駆動するモータの回転数が保つことができなくなるため、圧縮機電圧を保持して、インバータのキャリア周波数を低下させることで高周波漏れ電流を低減することが可能となり、漏れ電流による感電への安全性が確保できる。その上、逆に高周波漏れ電流が低下した場合、キャリア周波数を上昇させていき、キャリア周波数が初期の値に達しても、まだ高周波漏れ電流が設定値よりも低ければ、圧縮機電圧の昇圧を行うことが可能となるため、圧縮機を駆動するモータの回転数を上昇させることが可能となり、結果、高周波漏れ電流をある一定の幅に制御することが可能となる。
【００１４】
第３の発明は、特に、第１または第２の発明の漏れ電流検出器を、平滑コンデンサと圧縮機制御器の間に設けることにより、交流側と直流側の絶縁が不要となり、低コストを図ることができる。
【００１５】
以下、本発明の実施の形態について、図面を参照しながら説明する。なお、この実施の形態によって本発明が限定されるものではない。
【００１６】
（実施の形態１）
図１は、本発明第１の実施の形態における空気調和機用インバータ装置のブロック図を示すものである。
【００１７】
図１において、１は三相巻線を有したモータを密閉ケースに収容した圧縮機、２は圧縮機１とアースとの間に浮遊する浮遊容量、３は交流電源、４は交流電源３の電圧を直流電圧に変換するコンバータ、５はコンバータ４で整流された直流電圧を平滑する平滑コンデンサ、６は浮遊容量２に流れる高周波漏れ電流を検出する漏れ電流検出器、７は漏れ電流検出器６の出力と第１の漏れ電流閾値との差を比較する第１の比較器、８は印加された電圧である圧縮機電圧をキャリア周波数でチョッピングして圧縮機１を駆動するモータに印加される電圧を制御する電圧型ＰＷＭ方式のインバータ、９は平滑コンデンサ５とインバータ８との間に設けられ、第１の比較器７の出力とインバータ８からのＤｕｔｙ信号に応じて圧縮機に印加する電圧である圧縮機電圧及びキャリア周波数を制御する圧縮機制御器である。
【００１８】
以上のように構成された空気調和機用インバータ装置について、以下にその動作、作用を説明する。
【００１９】
交流電源３の電圧をコンバータ４で直流電源に変換したのち、平滑コンデンサ５で平滑し、リプルの小さい直流電圧に整流する。この直流電圧を第１の比較器７の出力とインバータ８から出力されるＤｕｔｙ信号に応じて、圧縮機電圧を昇圧もしくは降圧する。この調整された圧縮機電圧をインバータ９でキャリア周波数にてチョッピングして、圧縮機駆動用モータに印加される電圧を制御し、圧縮機１の運転周波数を制御している。
【００２０】
ここで、浮遊容量２に流れる高周波漏れ電流が増加すると、漏れ電流検出器６の出力が増加する。この出力が第１の漏れ電流閾値よりも大きくなると、第１の比較器７の出力が反転する。第１の比較器７の出力が反転すると、圧縮機制御器９は直流電圧を降圧させる動作を行う。圧縮機電圧が低下すると、電圧に比例した高周波漏れ電流が低下する。この低下した高周波漏れ電流による漏れ電流検出器６の出力が、まだ第１の漏れ電流閾値よりも大きいと、一層の降圧を図り、逆に第１の漏れ電流閾値よりも小さいと、その圧縮機電圧で固定する。しかし、インバータ８からのＤｕｔｙ信号が一定値以上となっても、第１の比較器６の出力が反転したままであれば、圧縮機を駆動するモータの回転数が保つことができなくなるため、圧縮機電圧の降圧を停止し、圧縮機制御器９はインバータ８のキャリア周波数を低下させる動作を行う。キャリア周波数が低下すると、周波数に比例した高周波漏れ電流が低下する。この低下した高周波漏れ電流による漏れ電流検出器６の出力が、まだ第１の漏れ電流閾値よりも大きいと、一層のキャリア周波数の低下を図り、逆に第１の漏れ電流閾値よりも小さいと、そのキャリア周波数で固定する。
【００２１】
以上のように、本実施の形態においては、高周波漏れ電流が増加した場合、圧縮機電圧の降圧およびキャリア周波数の低下を図ることで、高周波漏れ電流を低減させることが可能となる。
【００２２】
（実施の形態２）
図２は、本発明第２の実施の形態における空気調和機用インバータ装置のブロック図を示すものである。
【００２３】
図２において、１は三相巻線を有したモータを密閉ケースに収容した圧縮機、２は圧縮機１とアースとの間に浮遊する浮遊容量、３は交流電源、４は交流電源３の電圧を直流電圧に変換するコンバータ、５はコンバータ４で整流された直流電圧を平滑する平滑コンデンサ、６は浮遊容量２に流れる高周波漏れ電流を検出する漏れ電流検出器、７は漏れ電流検出器６の出力と第１の漏れ電流閾値との差を比較する第１の比較器、１０は漏れ電流検出器６の出力と第１の漏れ電流閾値よりも小さい第２の漏れ電流閾値との差を比較する第２の比較器、８は圧縮機電圧をキャリア周波数でチョッピングして圧縮機１を駆動するモ
ータに印加される電圧を制御する電圧型ＰＷＭ方式のインバータ、９は平滑コンデンサ５とインバータ８との間に設けられ、第１の比較器７の出力と第２の比較器１０及びインバータ８からのＤｕｔｙ信号に応じて圧縮機に印加する電圧である圧縮機電圧及びキャリア周波数を制御する圧縮機制御器である。
【００２４】
以上のように構成された空気調和機用インバータ装置について、以下にその動作、作用を説明する。
【００２５】
交流電源３の電圧をコンバータ４で直流電源に変換したのち、平滑コンデンサ５で平滑し、リプルの小さい直流電圧に整流する。この直流電圧を第１の比較器７の出力とインバータ８から出力されるＤｕｔｙ信号に応じて、圧縮機電圧を昇圧もしくは降圧する。この調整された圧縮機電圧をインバータ９でキャリア周波数にてチョッピングして、圧縮機駆動用モータに印加される電圧を制御し、圧縮機１の運転周波数を制御している。
【００２６】
ここで、浮遊容量２に流れる高周波漏れ電流が増加すると、漏れ電流検出器６の出力が増加する。この出力が第１の漏れ電流閾値よりも大きくなると、第１の比較器７の出力が反転する。第１の比較器７の出力が反転すると、圧縮機制御器９は直流電圧を降圧させる動作を行う。圧縮機電圧が低下すると、電圧に比例した高周波漏れ電流が低下する。この低下した高周波漏れ電流による漏れ電流検出器６の出力が、まだ第１の漏れ電流閾値よりも大きいと、一層の降圧を図り、逆に第１の漏れ電流閾値よりも小さいと、その圧縮機電圧で固定する。しかし、インバータ８からのＤｕｔｙ信号が一定値以上となっても、第１の比較器６の出力が反転したままであれば、圧縮機を駆動するモータの回転数が保つことができなくなるため、圧縮機電圧の降圧を停止し、圧縮機制御器９はインバータ８のキャリア周波数を低下させる動作を行う。キャリア周波数が低下すると、周波数に比例した高周波漏れ電流が低下する。この低下した高周波漏れ電流による漏れ電流検出器６の出力が、まだ第１の漏れ電流閾値よりも大きいと、一層のキャリア周波数の低下を図り、逆に第１の漏れ電流閾値よりも小さいと、そのキャリア周波数で固定する。
【００２７】
また、漏れ電流検出器６の出力が第２の漏れ電流閾値よりも小さくなると、第２の比較器１０の出力が反転する。第２の比較器１０の出力が反転すると、圧縮機制御器９はキャリア周波数を上昇させる動作を行う。キャリア周波数が大きくなると、周波数に比例した高周波漏れ電流が上昇する。この上昇した高周波漏れ電流による漏れ電流検出器６の出力が、まだ第２の漏れ電流閾値よりも小さいと、一層のキャリア周波数の上昇を図り、第２の漏れ電流閾値よりも大きいと、キャリア周波数を固定する。しかし、キャリア周波数が初期の値まで上昇しても、高周波漏れ電流による漏れ電流検出器６の出力が、まだ第２の漏れ電流閾値よりも小さいと、圧縮機制御器９は圧縮機電圧を上昇させる動作を行う。圧縮機電圧が大きくなると、電圧に比例した高周波漏れ電流が上昇する。この上昇した高周波漏れ電流による漏れ電流検出器６の出力が、まだ第２の漏れ電流閾値よりも小さいと、一層の圧縮機電圧の昇圧を測り、第２の漏れ電流閾値よりも大きいと、その圧縮機電圧で固定する。
【００２８】
以上のように、本実施の形態においては、高周波漏れ電流が増加した場合、圧縮機電圧の降圧およびキャリア周波数の低下を図ることで、高周波漏れ電流を低減させることが可能となると共に、高周波漏れ電流が低下した場合には、キャリア周波数の上昇および圧縮機の昇圧を図ることで、高周波漏れ電流をある一定の幅に制御することが可能となる。
【００２９】
（実施の形態３）
図３は、本発明の第３の実施の形態における空気調和機用インバータ装置のブロック図を示すものである。本実施の形態において実施の形態１と異なる点は、漏れ電流検出器６を平滑コンデンサ５と圧縮機電圧調整器９の間に設けている点である。
【００３０】
以上のように構成された空気調和機用インバータ装置についも、実施の形態１と同様に、高周波漏れ電流が増加した場合、圧縮機電圧の降圧およびキャリア周波数の低下を図ることで、高周波漏れ電流を低減させることが可能となる。また、全て直流側で構成が可能なため、交流側と直流側の絶縁が不要となり、低コストを図ることができる。
【００３１】
図示はしていないが、実施の形態２においても、漏れ電流検出器６を平滑コンデンサ５と圧縮機制御器９との間に設けることで同様の効果を得ることができる。
【産業上の利用可能性】
【００３２】
以上のように、本発明にかかる空気調和機用インバータ装置は、高周波漏れ電流があらかじめ設定された閾値を超えると、圧縮機電圧及びキャリア周波数を制御することで、高周波漏れ電流の低減を図ることが可能となるので、冷凍装置や冷蔵庫、ヒートポンプ式給湯機、ヒートポンプ式洗濯乾燥機等の用途にも適用できる。
【図面の簡単な説明】
【００３３】
【図１】本発明の実施の形態１における空気調和機用インバータ装置のブロック図
【図２】本発明の実施の形態２における空気調和機用インバータ装置のブロック図
【図３】本発明の実施の形態３における空気調和機用インバータ装置のブロック図
【図４】従来の空気調和機用インバータ装置のブロック図
【符号の説明】
【００３４】
１  圧縮機
２  浮遊容量
３  交流電源
４  コンバータ
５  平滑コンデンサ
６  漏れ電流検出器
７  第１の比較器
８  インバータ
９  圧縮機制御器
１０  第２の比較器
１１  ３相供給電源
１２  電流センサ
１３  制御装置
【図１】
2008099507.tif 000003
【図２】
2008099507.tif 000004
【図３】
2008099507.tif 000005
【図４】
2008099507.tif 000006